(57)【要約】【課題】  簡単な構成で負荷の誤動作を回避することができる。【解決手段】  パルスを負荷に出力して当該負荷を駆動する駆動部に第１の電源電圧Ｖ１を印加し、駆動部におけるパルスの出力タイミングを制御するロジック部に第１の電源電圧Ｖ１よりも低い第２の電源電圧Ｖ２を印加する電源装置において、第１の電源電圧Ｖ１を基準にして第２の電源電圧Ｖ２を生成するレギュレータ９８を備え、第２の電源電圧Ｖ２の立ち上がりのタイミングを、第１の電源電圧Ｖ１の立ち上がりのタイミングと略同時にする補助コンデンサ１０１をレギュレータ９８に並列に設けた。【選択図】      図６
2006062159.tif 000002
【特許請求の範囲】
【請求項１】
パルスを負荷に出力して当該負荷を駆動する駆動部に第１の電源電圧を印加し、前記駆動部における前記パルスの出力タイミングを制御する制御部に前記第１の電源電圧よりも低い第２の電源電圧を印加する電源装置において、
前記第１の電源電圧を基準にして前記第２の電源電圧を生成するレギュレータを備え、
前記第２の電源電圧の立ち上がりのタイミングを、前記第１の電源電圧の立ち上がりのタイミングと略同時にする補助コンデンサを前記レギュレータに並列に設けたことを特徴とする電源装置。
【請求項２】
前記レギュレータは、入力端子、出力端子及びグランド端子を有する三端子レギュレータであり、
前記入力端子と前記出力端子との間に、前記補助コンデンサが設けられ、
前記出力端子と前記グランド端子との間に、前記第２の電源電圧を安定化させる安定化用コンデンサが設けられ、
前記補助コンデンサの容量を、前記安定化用コンデンサの容量よりも大きく設定したことを特徴とする請求項１に記載の電源装置。
【請求項３】
前記補助コンデンサの容量を、前記第２の電源電圧が前記制御部の動作電圧に達する前に前記駆動部により出力される誤パルスが、前記負荷を誤作動させないパルス幅以下となる容量に設定したことを特徴とする請求項１又は請求項２に記載の電源装置。
【請求項４】
記録ヘッドの電磁コイルにスイッチング素子が接続され、第１の電源電圧で動作し前記スイッチング素子にパルスを出力して前記スイッチング素子を動作させる駆動部と、前記第１の電源電圧よりも低い第２の電源電圧で動作し前記駆動部におけるパルスの出力タイミングを制御する制御部と、を備えた記録ヘッド駆動装置において、
前記第１の電源電圧を基準にして前記第２の電源電圧を生成するレギュレータを備え、
前記第２の電源電圧の立ち上がりのタイミングを、前記第１の電源電圧の立ち上がりのタイミングと略同時にする補助コンデンサを前記レギュレータに並列に設けたことを特徴とする記録ヘッド駆動装置。
【請求項５】
前記レギュレータは、入力端子、出力端子及びグランド端子を有する三端子レギュレータであり、
前記入力端子と前記出力端子との間に、前記補助コンデンサが設けられ、
前記出力端子と前記グランド端子との間に、前記第２の電源電圧を安定化させる安定化用コンデンサが設けられ、
前記補助コンデンサの容量を、前記安定化用コンデンサの容量よりも大きく設定したことを特徴とする請求項４に記載の記録ヘッド駆動装置。
【請求項６】
前記補助コンデンサの容量を、前記第２の電源電圧が前記制御部の動作電圧に達する前に前記駆動部により出力される誤パルスが、前記スイッチング素子を誤作動させないパルス幅以下となる容量に設定したことを特徴とする請求項４又は請求項５に記載の記録ヘッド駆動装置。
【請求項７】
プラテンに沿って走行可能なキャリッジに、前記プラテン上に搬送されるシートに画像を記録する記録ワイヤ及びこの記録ワイヤを駆動する電磁コイルを備えた記録ヘッドが搭載され、前記電磁コイルにスイッチング素子が接続され、第１の電源電圧で動作し前記スイッチング素子にパルスを出力して前記スイッチング素子を動作させる駆動部と、前記第１の電源電圧よりも低い第２の電源電圧で動作し前記駆動部におけるパルスの出力タイミングを制御する制御部と、を備えた記録装置において、
前記第１の電源電圧を基準にして前記第２の電源電圧を生成するレギュレータを備え、
前記第２の電源電圧の立ち上がりのタイミングを、前記第１の電源電圧の立ち上がりのタイミングと略同時にする補助コンデンサを前記レギュレータに並列に設けたことを特徴とする記録装置。
【請求項８】
前記レギュレータは、入力端子、出力端子及びグランド端子を有する三端子レギュレータであり、
前記入力端子と前記出力端子との間に、前記補助コンデンサが設けられ、
前記出力端子と前記グランド端子との間に、前記第２の電源電圧を安定化させる安定化用コンデンサが設けられ、
前記補助コンデンサの容量を、前記安定化用コンデンサの容量よりも大きく設定したことを特徴とする請求項７に記載の記録装置。
【請求項９】
前記補助コンデンサの容量を、前記第２の電源電圧が前記制御部の動作電圧に達する前に前記駆動部により出力される誤パルスが、前記スイッチング素子を誤作動させないパルス幅以下となる容量に設定したことを特徴とする請求項７又は請求項８に記載の記録装置。
【発明の詳細な説明】
【技術分野】
【０００１】
本発明は、レギュレータを備えた電源装置、記録ヘッド駆動装置及び記録装置に関する。
【背景技術】
【０００２】
一般に、プラテン上に搬送されるシートに画像を記録する記録ワイヤ及びこの記録ワイヤを駆動する電磁コイルを有する記録ヘッドを備え、電磁コイルにスイッチング素子が接続され、スイッチング素子にパルスを出力してスイッチング素子を動作させて記録ワイヤを突出させる記録ヘッド駆動装置を備えた記録装置が知られている（例えば、特許文献１参照）。この種の記録ヘッド駆動装置は、スイッチング素子にパルスを出力してスイッチング素子を動作させる駆動部と、この駆動部におけるパルスの出力タイミングを制御する制御部とを備えているのが一般的である。
【０００３】
これら駆動部及び制御部は、小電力化の観点から、駆動部及び制御部を動作させる電源装置の電源電圧をできるだけ低く設定するのが好ましい。そこで、駆動部には、負荷としてのスイッチング素子を動作させるのに必要な電源電圧を印加すればよく、制御部には、駆動部を制御するのに必要な電源電圧を印加すればよい。
【０００４】
ところが、駆動部に印加する電源電圧は、負荷を駆動する関係上、制御部に印加する電源電圧にまで低く設定することができず、制御部に印加する電源電圧よりも高い電源電圧に設定する必要がある。
【０００５】
そこで、電源装置として、駆動部には、第１の電源電圧（例えば、５［Ｖ］）を印加し、制御部には、第１の電源電圧よりも低い第２の電源電圧（例えば、３．３［Ｖ］）を印加するため、レギュレータにより第１の電源電圧を基準にして第２の電源電圧を生成するようにしたものが考えられている。
【特許文献１】特開２００２−３０７７６６号公報
【発明の開示】
【発明が解決しようとする課題】
【０００６】
しかしながら、電源装置の電源投入時に、レギュレータにより生成された第２の電源電圧の立ち上がりが、基準となる第１の電源電圧の立ち上がりよりも遅れてしまうことがあるため、駆動部が制御部よりも先に動作状態となり、負荷において思わぬ動作がなされる可能性があった。
【０００７】
そこで、駆動部及び制御部に安定した電源電圧が印加されて動作状態となった後に、負荷に電源電圧を印加して動作させるように制御する構成が考えられるが、この構成では、制御が複雑になってしまう。
【０００８】
そこで、本発明の目的は、上述した従来の技術が有する課題を解消し、簡単な構成で負荷の誤動作を回避することができる電源装置、記録ヘッド駆動装置及び記録装置を提供することにある。
【課題を解決するための手段】
【０００９】
上記課題を解決するため、本発明は、パルスを負荷に出力して当該負荷を駆動する駆動部に第１の電源電圧を印加し、前記駆動部における前記パルスの出力タイミングを制御する制御部に前記第１の電源電圧よりも低い第２の電源電圧を印加する電源装置において、前記第１の電源電圧を基準にして前記第２の電源電圧を生成するレギュレータを備え、前記第２の電源電圧の立ち上がりのタイミングを、前記第１の電源電圧の立ち上がりのタイミングと略同時にする補助コンデンサを前記レギュレータに並列に設けたことを特徴とするものである。
この構成によれば、補助コンデンサを設ける簡単な構成で、第１の電源電圧及び第２の電源電圧の立ち上がりのタイミングが略同時となるので、制御部の動作のタイミングが駆動部の動作のタイミングに近づき、駆動部の誤動作による負荷の誤動作を回避することができる。
【００１０】
この電源装置において、前記レギュレータは、入力端子、出力端子及びグランド端子を有する三端子レギュレータであり、前記入力端子と前記出力端子との間に、前記補助コンデンサが設けられ、前記出力端子と前記グランド端子との間に、前記第２の電源電圧を安定化させる安定化用コンデンサが設けられ、前記補助コンデンサの容量を、前記安定化用コンデンサの容量よりも大きく設定してもよい。
【００１１】
また、上記電源装置において、前記補助コンデンサの容量を、前記第２の電源電圧が前記制御部の動作電圧に達する前に前記駆動部により出力される誤パルスが、前記負荷を誤作動させないパルス幅以下となる容量に設定してもよい。
【００１２】
また、記録ヘッドの電磁コイルにスイッチング素子が接続され、第１の電源電圧で動作し前記スイッチング素子にパルスを出力して前記スイッチング素子を動作させる駆動部と、前記第１の電源電圧よりも低い第２の電源電圧で動作し前記駆動部におけるパルスの出力タイミングを制御する制御部と、を備えた記録ヘッド駆動装置において、前記第１の電源電圧を基準にして前記第２の電源電圧を生成するレギュレータを備え、前記第２の電源電圧の立ち上がりのタイミングを、前記第１の電源電圧の立ち上がりのタイミングと略同時にする補助コンデンサを前記レギュレータに並列に設けたことを特徴とするものである。
この構成によれば、補助コンデンサを設ける簡単な構成で、第１の電源電圧及び第２の電源電圧の立ち上がりのタイミングが略同時となるので、制御部の動作のタイミングが駆動部の動作のタイミングに近づき、駆動部の誤動作によるスイッチング素子の誤動作を回避することができる。
【００１３】
この記録ヘッド駆動装置において、前記レギュレータは、入力端子、出力端子及びグランド端子を有する三端子レギュレータであり、前記入力端子と前記出力端子との間に、前記補助コンデンサが設けられ、前記出力端子と前記グランド端子との間に、前記第２の電源電圧を安定化させる安定化用コンデンサが設けられ、前記補助コンデンサの容量を、前記安定化用コンデンサの容量よりも大きく設定してもよい。
【００１４】
また、上記記録ヘッド駆動装置において、前記補助コンデンサの容量を、前記第２の電源電圧が前記制御部の動作電圧に達する前に前記駆動部により出力される誤パルスが、前記スイッチング素子を誤作動させないパルス幅以下となる容量に設定してもよい。
【００１５】
また、プラテンに沿って走行可能なキャリッジに、前記プラテン上に搬送されるシートに画像を記録する記録ワイヤ及びこの記録ワイヤを駆動する電磁コイルを備えた記録ヘッドが搭載され、前記電磁コイルにスイッチング素子が接続され、第１の電源電圧で動作し前記スイッチング素子にパルスを出力して前記スイッチング素子を動作させる駆動部と、前記第１の電源電圧よりも低い第２の電源電圧で動作し前記駆動部におけるパルスの出力タイミングを制御する制御部と、を備えた記録装置において、前記第１の電源電圧を基準にして前記第２の電源電圧を生成するレギュレータを備え、前記第２の電源電圧の立ち上がりのタイミングを、前記第１の電源電圧の立ち上がりのタイミングと略同時にする補助コンデンサを前記レギュレータに並列に設けたことを特徴とするものである。
この構成によれば、補助コンデンサを設ける簡単な構成で、第１の電源電圧及び第２の電源電圧の立ち上がりのタイミングが略同時となるので、制御部の動作のタイミングが駆動部の動作のタイミングに近づき、駆動部の誤動作によるスイッチング素子の誤動作を回避することができる。
【００１６】
この記録装置において、前記レギュレータは、入力端子、出力端子及びグランド端子を有する三端子レギュレータであり、前記入力端子と前記出力端子との間に、前記補助コンデンサが設けられ、前記出力端子と前記グランド端子との間に、前記第２の電源電圧を安定化させる安定化用コンデンサが設けられ、前記補助コンデンサの容量を、前記安定化用コンデンサの容量よりも大きく設定してもよい。
【００１７】
前記補助コンデンサの容量を、前記第２の電源電圧が前記制御部の動作電圧に達する前に前記駆動部により出力される誤パルスが、前記スイッチング素子を誤作動させないパルス幅以下となる容量に設定してもよい。
【発明の効果】
【００１８】
本発明によれば、簡単な構成で電源立ち上がり時の誤動作を回避することができる。
【発明を実施するための最良の形態】
【００１９】
以下、本発明の実施形態について図面を参照して説明する。
【００２０】
図１は、本発明に係る記録装置の実施の形態が適用されたドットインパクトプリンタのプリンタ本体を示す斜視図である。図２は、図１のプリンタ本体を示す側断面図である。
【００２１】
これらの図に示す記録装置としてのプリンタ１０は、記録ヘッド１８の複数の記録ワイヤを、インクリボン３１（図２）を介してシートＳに打ち付けてドットを記録することにより、文字を含む画像を印刷するドットインパクトプリンタである。
【００２２】
ここで、シートＳは、単票紙や連続紙などの普通紙の他に、通帳や葉書、封筒などである。特に、単票紙は単票複写紙を含み、上記連続紙は連続複写紙を含む。
【００２３】
上記プリンタ１０は、図１に示すように、記録装置本体としてのプリンタ本体１１と、このプリンタ本体１１に着脱自在に装着されたプッシュトラクタユニット１２及び排出ユニット１３と、同じくプリンタ本体１１に着脱自在に装着されたシート供給ガイド３４（図２）と、プリンタ本体１１の上方、下方をそれぞれ覆う図示しない上部ケース及び下部ケースと、を有して構成される。
【００２４】
上記プリンタ本体１１は、本体フレームとしてのベースフレーム１４、シート案内フレーム１５（図２）、左サイドフレーム１６及び右サイドフレーム１７と、記録ヘッド１８及びキャリッジ１９を備えた印刷機構部２０と、プラテン２１、シート案内２２及びピンチローラ２５（図２）を備えたシート搬送機構部２３と、を有して構成される。
【００２５】
ベースフレーム１４及びシート案内フレーム１５は、図２に示すようにほぼ平行配置され、これらのベースフレーム１４及びシート案内フレーム１５の両端に上記左サイドフレーム１６、右サイドフレーム１７がそれぞれ立設して固定される。これらの左サイドフレーム１６と右サイドフレーム１７間に、図１に示すように、キャリッジ軸２４が架け渡されて回動可能に支持され、プラテン２１が架け渡されて回転自在に配設されている。シート案内２２は、左サイドフレーム１６と右サイドフレーム１７との間に配設されて、シート案内フレーム１５に嵌合して固定されている。また、左サイドフレーム１６及び右サイドフレーム１７の後方部、上方部それぞれには、前記プッシュトラクタユニット１２、排出ユニット１３をそれぞれ装着可能な図示しないトラクタユニット装着部、排出ユニット装着部が設けられている。
【００２６】
図２に示すプッシュトラクタユニット１２は、シートＳとしての連続紙をシート搬送機構部２３へ送り出し、シート供給ガイド３４は、シートＳとしての単票紙を１枚づつ（単票複写紙の場合には一綴りづつ）シート搬送機構部２３へ供給する。また、排出ユニット１３は、連続紙または単票紙をシート搬送機構部２３からプリンタ１０外へ引き出すものである。
【００２７】
つまり、プッシュトラクタユニット１２のトラクタベルト２６の回転により、このトラクタベルト２６のピン２７の作用で、連続紙は、シート搬送機構部２３のシート案内２２に案内され、このシート案内２２とプラテン２１との間に形成されるシート搬送経路２８を経て記録ヘッド１８へ向い、矢印α方向に送給される。このプッシュトラクタユニット１２の非動作時に、シート供給ガイド３４から単票紙が一枚づつ、シート搬送経路２８を経て記録ヘッド１８へ供給可能とされる。また、排出ユニット１３の排出ローラ２９の回転により、後述のごとく、記録ヘッド１８により文字等が記録された連続紙または単票紙は、シート搬送機構部２３のプラテン２１から矢印β方向に引き出される。これにより、連続紙または単票紙は、キャリッジ１９の後述の主走査方向に直交する副走査方向に搬送される。
【００２８】
図１に示す前記キャリッジ１９は、キャリッジ軸２４に摺動自在に挿通されると共に、記録ヘッド１８を搭載する。キャリッジ軸２４がプラテン２１と平行に配置されることから、キャリッジ１９は、これらのプラテン２１及びキャリッジ軸２４の軸方向と一致する主走査方向に移動（走行）可能に設けられる。
【００２９】
図示しないキャリッジ駆動モータの正転または逆転により、キャリッジ１９は、タイミングベルト３０（図２）を介しキャリッジ軸２４に案内されて、主走査方向における図１の左向きまたは右向きに走行される。
【００３０】
前記記録ヘッド１８は多数の記録ワイヤ３５（図３及び図４）を備え、これらの記録ワイヤ３５の突出方向前方にインクリボン３１が位置する。記録ヘッド１８は、キャリッジ１９と共に主走査方向に走行する間に、記録ワイヤ３５を突出動作させてインクリボン３１に打ち当て、インクリボン３１のインクを、プラテン２１とインクリボン３１との間に搬送されるシートＳ（連続紙または単票紙）に付着させて、このシートＳに文字を含む画像を記録する。
【００３１】
記録ヘッド１８による記録動作は、キャリッジ１９が主走査方向左向きまたは右向きに走行する間に、記録ヘッド１８の記録ワイヤ３５により一行分の記録がなされ、この一行分の記録がなされる度に、シートＳが連続紙の場合には、図２に示すシート搬送機構部２３のプラテン２１、プッシュトラクタユニット１２及び排出ユニット１３が、また、シートＳが単票紙の場合には、シート搬送機構部２３のプラテン２１、ピンチローラ２５及び排出ユニット１３が、それぞれシートＳを所定量（通常行間分）搬送させ、これらの動作が繰り返されることにより実施される。
【００３２】
尚、図２に示す符号３２は、ベースフレーム１４とシート案内フレーム１５との間に開口して形成されて、プリンタ１０の下方からシート搬送機構部２３内へシートＳを供給するためのボトムシート供給口である。
【００３３】
上記記録ヘッド１８は、図３及び図４に示すように、ヘッド本体４０にノーズ部４１が連設され、ヘッド本体４０の外側にヘッド本体４０を冷却する放熱器４２が配置されて構成される。
【００３４】
上記ヘッド本体４０は、図４に示すように、有底円筒形状のフレーム４３の開口側に、略リング形状のヨーク４４、サイドヨーク４５が順次積層して配設される。また、フレーム４３の内側には、スプリングホルダ（不図示）が配置され、更に、上記ヨーク４４及びサイドヨーク４５にワイヤレバー４９が収容される。また、これらのワイヤレバー４９の基端部５０が支点軸５１により支持され、更に、これらのワイヤレバー４９がレバーホルダ５２により保持されて構成される。
【００３５】
フレーム４３は、軟磁性材料（例えば１％ケイ素鋼）から構成され、このフレーム４３の底面部には、同心円上に所定間隔を隔てて複数のコア５３が一体に形成される。これらの各コア５３に電磁コイル５４が嵌め込まれ、このコア５３及び電磁コイル５４により電磁石５９が構成される。上記電磁コイル５４は、ボビン５６に巻き付けられて構成されている。
【００３６】
それぞれの上記ワイヤレバー４９の先端部５５に、記録ワイヤ３５が１本づつ装着される。また、各ワイヤレバー４９は、それぞれの先端部５５付近が、スプリングホルダに内蔵された復帰コイルばね（ともに図示せず）によってレバーホルダ５２方向へ常時付勢される。
【００３７】
更に、各ワイヤレバー４９の基端部５０が支点軸５１に支持され、各ワイヤレバー４９は、支点軸５１を中心として回動可能に設けられる。
【００３８】
前記電磁コイル５４に通電がなされると、この電磁石５９の周囲に磁気回路６３（図４）が形成され、コア５３が励磁されて吸引力が発生し、ワイヤレバー４９のアーマチュア部６０がコア５３に吸引される。これにより、ワイヤレバー４９は、基端部５０を支持する支点軸５１を中心としてノーズ部４１方向に回動し、記録ワイヤ３５をノーズ部４１の先端ガイド６５から突出動作させる。このように、電磁コイル５４は通電により、ワイヤレバー４９を介して記録ワイヤ３５を駆動する。
【００３９】
電磁コイル５４の通電が遮断されたときにコア５３が消磁されて、上記吸引力が消失する。このとき、ワイヤレバー４９は、図示しない復帰コイルばねの付勢力（復帰力）により、支点軸５１を中心としてレバーホルダ５２方向へ回動し、記録ワイヤ３５を元位置に復帰させる。
【００４０】
ところで、この記録ヘッド１８の電磁コイル５４は、ヘッド駆動回路８１（図５）により駆動される。そして、電磁コイル５４やヘッド駆動回路８１には、電源装置９０により電力が供給される。これらヘッド駆動回路８１及び電源装置９０により記録ヘッド駆動装置８０が構成される。記録ヘッド駆動装置８０は、例えばプリンタ本体１１（図２）の後部側下方に配置される。
【００４１】
図５は、記録ヘッド駆動装置８０の構成を示す電気回路図である。
【００４２】
図５に示すように、ヘッド駆動回路８１は、記録ヘッド１８の電磁コイル５４を駆動するためのスイッチング素子としてのトランジスタ８２と、このトランジスタ８２をオンオフするＡＳＩＣ８３とを備えている。なお、図５では、説明の便宜上、１つの電磁コイル５４を図示しているが、実際は複数有り、各電磁コイル５４にトランジスタ８２がそれぞれ接続され、ＡＳＩＣ８３は、各トランジスタ８２をオンオフするように構成されている。
【００４３】
トランジスタ８２は、電磁コイル５４に直列に電気的に接続されている。ＡＳＩＣ８３は、トランジスタ８２に電圧信号を示すパルスＰを出力してトランジスタ８２を動作させる駆動部８３Ａと、駆動部８３ＡにおけるパルスＰの出力タイミングを制御する制御部としてのロジック部８３Ｂとを備えている。
【００４４】
また、記録ヘッド駆動装置８０は、Ｌレベル（０［Ｖ］）のリセット信号を、ロジック部８３Ｂに電源装置９０の電源電圧が安定するまで出力し続けるリセットＩＣ８４を備えている。このリセット信号を入力したロジック部８３Ｂは、駆動部８３ＡにパルスＰの出力を停止する制御を行う。
【００４５】
電源装置９０は、交流電圧を直流電圧に変換して負荷に給電するものであり、交流電源が接続される入力端子９１と、複数（本実施形態では、３つ）の異なる電源電圧（直流電圧）を負荷に供給するための複数の出力端子９２Ａ、９２Ｂ、９２Ｃとを備えている。出力端子９２Ａは、例えば直流電圧４２［Ｖ］のヘッド駆動用の電源電圧Ｖｈを記録ヘッド１８の電磁コイル５４に印加するための端子であり、出力端子９２Ｂは、例えば直流電圧５［Ｖ］の第１の電源電圧Ｖ１をＡＳＩＣ８３に印加するための端子であり、出力端子９２Ｃは、例えば直流電圧３．３［Ｖ］の第２の電源電圧Ｖ２をＡＳＩＣ８３に印加するための端子である。
【００４６】
出力端子９２Ａには、電源ライン９３Ａが電気的に接続され、この電源ライン９３Ａには、記録ヘッド１８の電磁コイル５４が電気的に接続される。従って、トランジスタ８２がオンされると、電源ライン９３Ａを介して電磁コイル５４に電流が流れ、記録ワイヤ３５（図３、図４）が突出される。トランジスタ８２がオフされると、電磁コイル５４への通電が停止され、記録ワイヤ３５（図３、図４）が待避される。
【００４７】
上記ＡＳＩＣ８３は、２つの電源により動作する２電源タイプのものである。具体的に説明すると、ＡＳＩＣ８３の駆動部８３Ａは、負荷であるトランジスタ８２にパルスＰを出力してトランジスタ８２をオンさせる必要があるため、ＡＳＩＣ８３の駆動部８３Ａには、第１の電源電圧Ｖ１（例えば、５［Ｖ］）が印加される。また、ＡＳＩＣ８３のロジック部８３Ｂには、小型化及び省電力化を図るべく、第１の電源電圧Ｖ１よりも低い第２の電源電圧Ｖ２（例えば、３．３［Ｖ］）が印加される。つまり、電源装置９０の出力端子９２Ｂに電源ライン９３Ｂが電気的に接続され、この電源ライン９３ＢにＡＳＩＣ８３の駆動部８３Ａが電気的に接続される。これにより、第１の電源電圧Ｖ１が駆動部８３Ａに印加されて、駆動部８３Ａが動作する。また、電源装置９０の出力端子９２Ｃに電源ライン９３Ｃが電気的に接続され、この電源ライン９３ＣにＡＳＩＣ８３のロジック部８３Ｂが電気的に接続される。これにより、第２の電源電圧Ｖ２がロジック部８３Ｂに印加されて、ロジック部８３Ｂが動作する。
【００４８】
図６は、電源装置９０の構成を示す電気回路図である。
【００４９】
交流電源が電気的に接続される入力端子９１には、プリンタ１０に電源を投入するための電源スイッチ９４が電気的に接続される。この電源スイッチ９４には、ノイズを除去するための入力フィルタ９５が電気的に接続される。この入力フィルタ９５には、記録ヘッド１８の電磁コイル５４に電力を供給するために直流電圧（例えば、４２［Ｖ］）のヘッド駆動用の電源電圧Ｖｈを生成するヘッド駆動用電源回路９６が電気的に接続される。これにより、電磁コイル５４にヘッド駆動用の電源電圧Ｖｈが印加されることとなる。このヘッド駆動用電源回路９６は、ＲＣＣ方式の電源回路である。このヘッド駆動用電源回路９６の出力側が上述した出力端子９２Ａに電気的に接続される。
【００５０】
また、ヘッド駆動用電源回路９６の出力側には、ヘッド駆動用の電源電圧Ｖｈに基づいて第１の電源電圧Ｖ１に降圧した直流電圧を生成する降圧チョッパ回路９７（電源部）が電気的に接続される。つまり、この降圧チョッパ回路９７は、第１の電源電圧Ｖ１を生成する。この降圧チョッパ回路９７の出力側が上述した出力端子９２Ｂに電気的に接続される。これにより、ＡＳＩＣ８３の駆動部８３Ａに第１の電源電圧Ｖ１が印加されることとなる。
【００５１】
図７は、降圧チョッパ回路９７の構成を示す電気回路図である。この図７に示すように、降圧チョッパ回路９７は、スイッチング素子としてのトランジスタ９７Ａと、このトランジスタ９７Ａの出力側に電気的に接続されるチョークコイル９７Ｂと、チョークコイル９７Ｂの入力側とグランドラインとの間に接続されるダイオード９７Ｃと、チョークコイル９７Ｂの出力側とグランドラインとの間に接続される平滑コンデンサ９７Ｄと、トランジスタ９７Ａを駆動する制御回路９７Ｅとを備えて構成される。
【００５２】
ここで、仮に、第２の電源電圧Ｖ２を生成するために、ヘッド駆動用の電源電圧Ｖｈに基づいて第２の電源電圧Ｖ２を生成する降圧チョッパ回路を、降圧チョッパ回路９７に並列に接続する場合、この降圧チョッパ回路にも制御回路を設ける必要があり、電源装置の構成が複雑になってしまう。
【００５３】
そこで、本実施形態では、図６に示すように、降圧チョッパ回路９７の出力側には、第１の電源電圧Ｖ１を基準にしてこの第１の電源電圧Ｖ１よりも低い第２の電源電圧Ｖ２を生成するレギュレータ９８が接続される。このレギュレータ９８は、シリーズレギュレータであり、入力端子９８Ａ、出力端子９８Ｂ及びグランド端子９８Ｃを有するＩＣ化された三端子レギュレータである。このレギュレータ９８の出力端子９８Ｂが、上述した出力端子９２Ｃに接続され、ＡＳＩＣ８３のロジック部８３Ｂに第２の電源電圧Ｖ２が印加されることとなる。このレギュレータ９８を用いることによって、簡単な回路構成で第２の電源電圧Ｖ２を生成することができる。
【００５４】
このレギュレータ９８のグランド端子９８Ｃは、グランドラインに接続され、レギュレータ９８の入力端子９８Ａとグランド端子９８Ｃの間には、高周波ノイズをカットするバイパスコンデンサ９９が設けられている。また、レギュレータ９８の出力端子９８Ｂとグランド端子９８Ｃの間には、第２の電源電圧Ｖ２を安定化させるための安定化用コンデンサ１００が設けられている。
【００５５】
電源スイッチ９４がユーザによりオン操作された場合、第１の電源電圧Ｖ１は、降圧チョッパ回路９７のチョークコイル９７Ｂ（図７）や平滑コンデンサ９７Ｄの作用で、電源投入のタイミングから瞬時に立ち上がらずに徐々に立ち上がる。
【００５６】
本実施形態では、図６に示すように、第２の電源電圧Ｖ２の立ち上がりのタイミングを、第１の電源電圧Ｖ１の立ち上がりのタイミングと略同時にする補助コンデンサ１０１が、レギュレータ９８に並列に設けられている。つまり、レギュレータ９８の入力端子９８Ａと出力端子９８Ｂとの間に、補助コンデンサ１０１が設けられている。
【００５７】
図８に示す電圧波形の説明図を参照しながら説明すると、レギュレータ９８の入力端子９８Ａと出力端子９８Ｂとの間に、補助コンデンサ１０１を設けたことで、電源投入時の第１の電源電圧Ｖ１の立ち上がり時に、レギュレータ９８が非動作状態でも補助コンデンサ１０１を介してＡＳＩＣ８３のロジック部８３Ｂに電圧が印加されることとなる。従って、電源投入時に、第１の電源電圧Ｖ１の立ち上がりのタイミング（つまり、電源投入のタイミング）ｔ１と、第２の電源電圧Ｖ２の立ち上がりのタイミングｔ２とが略同時となる。
【００５８】
ここで、補助コンデンサ１０１を省略してしまうと、図９に示すように、電源投入時に、第１の電源電圧Ｖ１の立ち上がりのタイミング（つまり、電源投入のタイミング）ｔ１と、第２の電源電圧Ｖ２の立ち上がりのタイミングｔ２とが略同時とはならず、第１の電源電圧Ｖ１がレギュレータ９８の動作電圧Ｖ１ｙ以下の場合には、レギュレータ９８が非動作状態となってしまい、レギュレータ９８が動作するまで第２の電源電圧Ｖ２は、０［Ｖ］である。この第２の電源電圧Ｖ２が０［Ｖ］である場合、ロジック部８３Ｂは非動作状態であるが、駆動部８３Ａには、第１の電源電圧Ｖ１が印加されるので、第１の電源電圧Ｖ１が駆動部８３Ａの動作電圧Ｖ１ｘ以上となった場合に、ロジック部８３Ｂが非動作状態であっても駆動部８３Ａが動作状態となってしまう状況が生じてしまい、駆動部８３Ａが誤動作する可能性がある。この駆動部８３Ａの誤動作により誤パルスＰｅがトランジスタ８２に出力されてしまい、誤パルスＰｅのパルス幅Ｗが、トランジスタ８２がオンするパルス幅であると、電源投入時に記録ワイヤ３５が突出され、不要なドットがシートに形成されてしまうこととなる。
【００５９】
本実施形態では、レギュレータ９８の入力端子９８Ａと出力端子９８Ｂとの間に補助コンデンサ１０１設けるという簡単な構成で、図８に示すように、ロジック部８３Ｂに印加する第２の電源電圧Ｖ２の立ち上がりが速まり、第２の電源電圧Ｖ２が動作電圧Ｖ２ｘに達するのが速くなる。従って、ロジック部８３Ｂが動作状態となるのが速まり、ロジック部８３Ｂの動作のタイミングｔ４が駆動部８３Ａの動作のタイミングｔ３に近づく。これにより、駆動部８３Ａが誤動作する期間が短縮され、誤パルスＰｅのパルス幅Ｗが狭まるため、駆動部８３Ａの誤動作によるトランジスタ８２の誤動作を回避することができる。従って、電源投入時に記録ワイヤ３５が突出するのを回避できるので、記録ヘッド１８の誤動作を回避することができ、プリンタ１０の安定性を向上させることができる。
【００６０】
更に、補助コンデンサ１０１の容量Ｃを大きくすればするほど、第２の電源電圧Ｖ２の立ち上がり速度が速まり、駆動部８３Ａが誤動作する期間がより短縮され、誤パルスＰｅのパルス幅Ｗがより狭まる。従って、補助コンデンサ１０１の容量Ｃを、第２の電源電圧Ｖ２がロジック部８３Ｂの動作電圧Ｖ２ｘに達する前に駆動部８３Ａにより出力される誤パルスＰｅが、トランジスタ８２を誤作動させない所定パルス幅（例えば、５００［μｓ］）以下となる容量に設定している。これによって、駆動部８３Ａにより誤パルスＰｅが出力されても、このパルス幅Ｗは、所定パルス幅以下であるので、トランジスタ８２がオンすることはなく、記録ヘッド１８が誤動作することはない。従って、プリンタ１０の安定性を向上させることができる。
【００６１】
また、補助コンデンサ１０１の容量Ｃは、安定化用コンデンサ１００の容量Ｃ３３よりも大きく設定するのが好ましい。具体的に説明すると、電源投入時には、
Ｖ２＝Ｃ／（Ｃ＋Ｃ３３）×Ｖ１
の関係式が成り立つので、補助コンデンサ１０１の容量Ｃを、安定化用コンデンサ１００の容量Ｃ３３よりも十分大きく設定することにより、電源電圧立ち上がり時に第２の電源電圧Ｖ２を第１の電源電圧Ｖ１に近づけることができる。
【００６２】
例えば、安定化用コンデンサ１００の容量Ｃ３３を２２［μＦ］とし、補助コンデンサ１０１の容量Ｃを１００［μＦ］とした場合、図１０に示すように、電源電圧の立ち上がり時に第２の電源電圧Ｖ２を第１の電源電圧Ｖ１に近づけることができ、駆動部８３Ａとロジック部８３Ｂとが略同時に動作するか、或いはロジック部８３Ｂが駆動部８３Ａよりも先に動作状態となることとなり、駆動部８３Ａが誤動作することはない。従って、誤パルスが駆動部８３Ａより出力されることはないので、記録ヘッド１８が誤動作することはなく、プリンタ１０の安定性を更に向上させることができる。
【００６３】
以上、一実施形態に基いて本発明を説明したが、本発明は、これに限定されるものではない。例えば、上記実施形態では、パルスが出力される負荷として、電磁コイル５４に接続されたトランジスタ８２の場合について説明したが、これに限るものではなく、負荷がパルスを入力して動作するものであれば、この負荷に用いる駆動部及び制御部に本発明の電源装置を適用することが可能である。
【図面の簡単な説明】
【００６４】
【図１】本発明に係る記録装置の実施形態が適用されたドットインパクトプリンタのプリンタ本体を示す斜視図である。
【図２】図１のプリンタ本体を示す側断面図である。
【図３】図１の記録ヘッドを示す斜視図である。
【図４】図３のＩＶ−ＩＶ線に沿う記録ヘッドの断面図である。
【図５】記録ヘッド駆動装置の構成を示す電気回路図である。
【図６】電源装置の構成を示す電気回路図である。
【図７】降圧チョッパ回路の構成を示す電気回路図である。
【図８】電源電圧の電圧波形を示す説明図である。
【図９】電源電圧の電圧波形を示す説明図である。
【図１０】電源電圧の電圧波形を示す説明図である。
【符号の説明】
【００６５】
１０…プリンタ（記録装置）、１８…記録ヘッド、１９…キャリッジ、２１…プラテン、３１…インクリボン、３５…記録ワイヤ、５４…電磁コイル、８０…記録ヘッド駆動装置、８２…トランジスタ（スイッチング素子）、８３…ＡＳＩＣ、８３Ａ…駆動部、８３Ｂ…ロジック部（制御部）、９０…電源装置、９４…電源スイッチ、９８…レギュレータ（三端子レギュレータ）、９８Ａ…入力端子、９８Ｂ…出力端子、９８Ｃ…グランド端子、１００…安定化用コンデンサ、１０１…補助コンデンサ、Ｖ１…第１の電源電圧、Ｖ２…第２の電源電圧。
【図１】
2006062159.tif 000003
【図２】
2006062159.tif 000004
【図３】
2006062159.tif 000005
【図４】
2006062159.tif 000006
【図５】
2006062159.tif 000007
【図６】
2006062159.tif 000008
【図７】
2006062159.tif 000009
【図８】
2006062159.tif 000010
【図９】
2006062159.tif 000011
【図１０】
2006062159.tif 000012